(57)【要約】【課題】本願発明は、帯域制御機能を有さないＬ３装置を用いたネットワークにおいて、帯域幅情報を収集できるＬ３装置ＯｐＳを提供する。【解決手段】Ｌ３装置ＯｐＳ１０は、Ｌ３装置３０からトラヒック総量情報Ｔを収集するトラヒック総量収集手段１４２と、ＶＬＡＮ−ＩＦ設計情報Ｄに記述された帯域幅情報Ｂを収集する帯域幅収集手段１４４と、トラヒック総量情報Ｔ及び帯域幅情報Ｂを記憶するトラヒック収集ＤＢ１５０と、トラヒック収集ＤＢ１５０のトラヒック総量情報Ｔ及び帯域幅情報Ｂに基づいて、集計処理を実行するトラヒック集計手段１６０とを備える。【選択図】図２
2015154383.tif 000002
【特許請求の範囲】
【請求項１】
帯域制御機能を有さない第１ネットワーク装置と前記帯域制御機能を有する第２ネットワーク装置とを接続する仮想ＬＡＮにおけるトラヒック総量情報と帯域幅情報とを収集して所定の集計処理を実行するトラヒック集計装置であって、
前記第１ネットワーク装置から、前記トラヒック総量情報が入力されるトラヒック総量入力手段と、
外部から、前記帯域幅情報が入力される帯域幅入力手段と、
前記トラヒック総量入力手段に入力されたトラヒック総量情報と、前記帯域幅入力手段に入力された帯域幅情報とに基づいて、前記集計処理を実行するトラヒック集計手段と、
を備えることを特徴とするトラヒック集計装置。
【請求項２】
前記帯域幅入力手段は、前記仮想ＬＡＮのインタフェース設計情報に記述された帯域幅情報が、入力されることを特徴とする請求項１に記載のトラヒック集計装置。
【請求項３】
前記帯域幅入力手段は、前記第１ネットワーク装置の可変設定手段に設定された帯域幅情報が、入力されることを特徴とする請求項１に記載のトラヒック集計装置。
【請求項４】
前記帯域幅入力手段は、前記第２ネットワーク装置を管理する第２ネットワーク管理装置に設定された帯域幅情報が、入力されることを特徴とする請求項１に記載のトラヒック集計装置。
【請求項５】
前記トラヒック集計手段は、前記集計処理として、前記トラヒック総量情報が示す値を前記帯域幅情報が示す値で除算した回線使用率を算出することを特徴とする請求項１から請求項４の何れか一項に記載のトラヒック集計装置。
【請求項６】
コンピュータを、請求項１から請求項５の何れか一項に記載のトラヒック集計装置として機能させるためのトラヒック集計プログラム。
【請求項７】
帯域制御機能を有さない第１ネットワーク装置と、
前記帯域制御機能を有する第２ネットワーク装置と、
請求項１から請求項５の何れか一項に記載のトラヒック集計装置と、
を備えることを特徴とするトラヒック集計システム。
【発明の詳細な説明】
【技術分野】
【０００１】
本願発明は、ＶＬＡＮ（仮想ＬＡＮ：Virtual Local Area Network）におけるトラヒックを収集、集計するトラヒック集計装置、そのプログラム及びトラヒック集計システムに関する。
【背景技術】
【０００２】
近年、ネットワークの設備投資抑制やネットワークリソースの有効活用を目的として、ＶＬＡＮ技術、及び、ＶＬＡＮ−ＩＦ（インタフェース：InterFace）毎の帯域制御を活用したネットワークの構築が進んでいる。このネットワークでは、ＶＬＡＮ−ＩＦ毎の帯域幅情報とトラヒック総量情報とを元に回線使用率を算出し、算出した回線使用率を利用してプロビジョニングを実施している。
【０００３】
ここで、ネットワークを構築する際、Ｌ３装置（レイヤ３装置）側で帯域制御を実施することが一般的である。だが、Ｌ３装置には、帯域制御機能の無い装置も存在する。従って、帯域制御機能を持つＬ２装置（レイヤ２装置）を用いてネットワークを構築することが検討されている。
【０００４】
例えば、非特許文献１に記載の技術では、既存のＬ３装置（帯域制御機能を有さないＬ３装置）が、ＶＬＡＮ−ＩＦ毎のトラヒック総量情報の測定機能を備える。そして、非特許文献１に記載の技術では、Ｌ３装置ＯｐＳ（Operation System）が、既存のＬ３装置からトラヒック総量情報をＳＮＭＰ（Simple Network Management Protocol）で収集する。
【先行技術文献】
【非特許文献】
【０００５】
【非特許文献１】"Tobi Oetiker's MRTG - The Multi Router TrafficGrapher"、[online]、Tobi Oetiker's Projects、[平成２６年２月１０日検索]、インターネット＜ＵＲＬ：http://oss.oetiker.ch/mrtg/index.en.html＞
【発明の概要】
【発明が解決しようとする課題】
【０００６】
しかし、非特許文献１に記載の技術では、既存のＬ３装置が帯域制御機能を有さないので、このＬ３装置から帯域幅情報を収集できない。その結果、非特許文献１に記載の技術では、回線使用率を算出できず、プロビジョニングを実施することができない。
【０００７】
そこで、本願発明は、帯域制御機能を有さないＬ３装置を用いたネットワークにおいて、帯域幅情報を収集できるトラヒック集計装置、そのプログラム及びトラヒック集計システムを提供することを課題とする。
【課題を解決するための手段】
【０００８】
前記した課題に鑑みて、本願発明に係るトラヒック集計装置は、帯域制御機能を有さない第１ネットワーク装置と前記帯域制御機能を有する第２ネットワーク装置とを接続する仮想ＬＡＮにおけるトラヒック総量情報と帯域幅情報とを収集して所定の集計処理を実行するトラヒック集計装置であって、前記第１ネットワーク装置から、前記トラヒック総量情報が入力されるトラヒック総量入力手段と、外部から、前記帯域幅情報が入力される帯域幅入力手段と、前記トラヒック総量入力手段に入力されたトラヒック総量情報と、前記帯域幅入力手段に入力された帯域幅情報とに基づいて、前記集計処理を実行するトラヒック集計手段と、を備えることを特徴とする。
【０００９】
かかる構成によれば、トラヒック集計装置は、外部から帯域幅情報を収集できるので、回線使用率が算出可能となり、プロビジョニングを実施することができる。このトラヒック集計装置において、第１ネットワーク装置がＬ３装置であり、第２ネットワーク装置がＬ２装置であることが好ましい。
【００１０】
また、本願発明に係るトラヒック集計装置において、前記帯域幅入力手段は、前記仮想ＬＡＮのインタフェース設計情報に記述された帯域幅情報が、入力されることが好ましい。
【００１１】
かかる構成によれば、トラヒック集計装置は、帯域幅情報以外の別の情報をさらに収集したい場合、帯域幅情報を収集する仕組みを転用できるので、将来の拡張性に優れる。
【００１２】
また、本願発明に係るトラヒック集計装置において、前記帯域幅入力手段は、前記第１ネットワーク装置の可変設定手段に設定された帯域幅情報が、入力されることが好ましい。
【００１３】
ここで、トラヒック集計装置は、第１ネットワーク装置の可変設定手段に設定された情報を収集する機能が実装されている。そこで、トラヒック集計装置は、この実装済み機能を利用して帯域幅情報を収集するので、装置改修のコストが抑えられ、導入の容易性に優れる。
【００１４】
また、本願発明に係るトラヒック集計装置において、前記帯域幅入力手段は、前記第２ネットワーク装置を管理する第２ネットワーク管理装置に設定された帯域幅情報が、入力されることが好ましい。
【００１５】
かかる構成によれば、トラヒック集計装置は、第２ネットワーク装置が実際の帯域制御に利用している帯域幅情報を収集できるので、集計処理の正確性に優れる。
【００１６】
また、本願発明に係るトラヒック集計装置において、前記トラヒック集計手段は、前記集計処理として、前記トラヒック総量情報が示す値を前記帯域幅情報が示す値で除算した回線使用率を算出することが好ましい。
【００１７】
かかる構成によれば、トラヒック集計装置は、正確な回線使用率を算出できるので、集計処理の正確性に優れる。
【００１８】
また、本願発明に係るトラヒック集計装置は、コンピュータが備えるＣＰＵ、メモリ、ハードディスク等のハードウェア資源を、トラヒック総量入力手段、帯域幅入力手段及びトラヒック集計手段として協調動作させるトラヒック集計プログラムで実現することもできる。このプログラムは、通信回線を介して配布してもよく、ＣＤ−ＲＯＭやフラッシュメモリ等の記録媒体に書き込んで配布してもよい。
【００１９】
前記した課題に鑑みて、本願発明に係るトラヒック集計システムは、帯域制御機能を有さない第１ネットワーク装置と、帯域制御機能を有する第２ネットワーク装置と、本願発明に係るトラヒック集計装置と、を備えることを特徴とする。
【００２０】
かかる構成によれば、トラヒック集計システムは、外部から帯域幅情報を収集できるので、回線使用率が算出可能となり、プロビジョニングを実施することができる。
【発明の効果】
【００２１】
本願発明によれば、以下のような優れた効果を奏する。
本願発明に係るトラヒック集計装置及びそのシステムは、帯域制御機能を有さないＬ３装置を用いたネットワークにおいても、外部から帯域幅情報を収集することができる。これによって、本願発明に係るトラヒック集計装置及びそのシステムは、回線使用率が算出可能となり、プロビジョニングを実施することができる。
【図面の簡単な説明】
【００２２】
【図１】本願発明の第１実施形態に係るトラヒック集計システムの全体構成を示す概念図である。
【図２】図１のＬ３装置ＯｐＳの構成を示すブロック図である。
【図３】図２のＬ３装置ＯｐＳの動作を示すフローチャートである。
【図４】本願発明の第２実施形態に係るトラヒック集計システムの全体構成を示す概念図である。
【図５】図４のＬ３装置ＯｐＳの構成を示すブロック図である。
【図６】本願発明の第３実施形態に係るトラヒック集計システムの全体構成を示す概念図である。
【図７】図６のＬ３装置ＯｐＳの構成を示すブロック図である。
【発明を実施するための形態】
【００２３】
以下、本願発明の実施形態について、適宜図面を参照しながら詳細に説明する。なお、各実施形態において、同一の機能を有する手段には同一の符号を付し、説明を省略した。
【００２４】
（第１実施形態）
[トラヒック集計システムの全体構成]
図１を参照し、本願発明の第１実施形態に係るトラヒック集計システム１の全体構成について、説明する。
【００２５】
トラヒック集計システム１は、ＶＬＡＮ−ＩＦ毎のトラヒックを集計するものである。図１のように、トラヒック集計システム１は、Ｌ３装置ＯｐＳ（トラヒック集計装置）１０と、ＯｐＳ端末２０と、Ｌ３装置（第１ネットワーク装置）３０と、Ｌ２装置（第２ネットワーク装置）４０と、Ｌ２装置ＯｐＳ（第２ネットワーク管理装置）５０と、Ｌ３装置６０ａ，６０ｂとを備える。
【００２６】
トラヒック集計システム１は、通信回線７０を介して、Ｌ３装置３０とＬ２装置４０との間、Ｌ２装置４０とＬ３装置６０ａとの間、及び、Ｌ２装置４０とＬ３装置６０ｂとの間を接続する。また、トラヒック集計システム１は、Ｌ２装置４０を経由してＬ３装置３０とＬ３装置６０ａとを接続するように、ＶＬＡＮ８０ａが構築される。また、トラヒック集計システム１は、Ｌ２装置４０を経由してＬ３装置３０とＬ３装置６０ｂとを接続するように、ＶＬＡＮ８０ｂが構築される。
【００２７】
Ｌ３装置ＯｐＳ１０は、Ｌ３装置３０の保守、管理を行うものである。具体的には、Ｌ３装置ＯｐＳ１０は、ＶＬＡＮ−ＩＦ設計情報Ｄに記述された帯域幅情報Ｂを、ＶＬＡＮ８０ａ，８０ｂのＩＦ毎に収集する（符号α）。また、Ｌ３装置ＯｐＳ１０は、Ｌ３装置３０から、ＶＬＡＮ８０ａ，８０ｂのＩＦ毎にトラヒック総量情報Ｔ（図２）を収集する。例えば、Ｌ３装置ＯｐＳ１０は、Ｌ３装置３０にトラヒック総量情報Ｔを要求する（トラヒック総量情報要求）。このトラヒック総量情報要求に応じて、トラヒック総量情報Ｔが、Ｌ３装置３０からＬ３装置ＯｐＳ１０に入力される。そして、Ｌ３装置ＯｐＳ１０は、収集したトラヒック総量情報Ｔと帯域幅情報Ｂとを元に所定の集計処理を行う。例えば、Ｌ３装置ＯｐＳ１０は、集計処理として、トラヒック総量情報Ｔの値を帯域幅情報Ｂの値で除算して、回線使用率を算出する。
【００２８】
ＶＬＡＮ−ＩＦ設計情報Ｄは、ＶＬＡＮ８０ａ，８０ｂのＩＦの設計内容を示す情報であり、帯域幅情報Ｂが記述される。この帯域幅情報Ｂは、ＶＬＡＮ８０ａ，８０ｂのＩＦ毎に設計された最大帯域幅を表す。
【００２９】
例えば、ＶＬＡＮ−ＩＦ設計情報Ｄは、表計算データ形式又はカンマ区切形式のファイル（不図示）に格納される。この場合、ＶＬＡＮ−ＩＦ設計情報Ｄが格納されたファイルは、Ｌ３装置ＯｐＳ１０が接続可能なファイルサーバ（不図示）で記憶、管理される。
【００３０】
ＯｐＳ端末２０は、オペレータがＬ３装置ＯｐＳ１０の動作を指示したり、Ｌ３装置ＯｐＳ１０が収集した各種監視データを閲覧するための端末である。例えば、ＯｐＳ端末２０は、図示を省略したマウス、キーボード等の操作手段を介して、オペレータから登録データが入力される。すると、ＯｐＳ端末２０は、入力された登録データをＬ３装置ＯｐＳ１０に出力する。
【００３１】
登録データは、Ｌ３装置ＯｐＳ１０での処理に必要なデータであり、例えば、設備情報と、トラヒック収集スケジュールと、ファイル所在情報とが含まれる。設備情報は、Ｌ３装置ＯｐＳ１０が保守、管理する対象となるＬ３装置３０の識別情報（例えば、ＩＰアドレス）を表す情報である。トラヒック収集スケジュールは、トラヒック総量情報Ｔを収集するスケジュール（例えば、一定間隔又は不定期）を表す情報である。ファイル所在情報は、ＶＬＡＮ−ＩＦ設計情報Ｄが格納されたファイルの所在（パス）を表す情報である。
【００３２】
Ｌ３装置３０は、例えば、ＶＬＡＮ８０ａ，８０ｂのＩＦ（不図示）を有するルータである。また、Ｌ３装置３０は、ＶＬＡＮ８０ａ，８０ｂのＩＦ毎にトラヒック総量を測定して、トラヒック総量情報Ｔを生成する。そして、Ｌ３装置３０は、Ｌ３装置ＯｐＳ１０からトラヒック総量情報要求が入力されると、このトラヒック総量情報要求に応じて、トラヒック総量情報ＴをＬ３装置ＯｐＳ１０に出力する。
【００３３】
なお、Ｌ３装置３０は、帯域制御機能を有さない以外、一般的なルータと同様のため、詳細な説明を省略する。この帯域制御機能は、例えば、ＶＬＡＮ−ＩＦ毎のトラフィック総量が、帯域幅情報Ｂが示す最大帯域幅を超えないように制御する機能である。
【００３４】
Ｌ２装置４０は、ＶＬＡＮ８０ａ，８０ｂとのＩＦ（不図示）を有するＬ２スイッチである。また、Ｌ２装置４０は、ＶＬＡＮ８０ａ，８０ｂのＩＦ毎の帯域制御機能を有する。そして、Ｌ２装置４０は、後記するＬ２装置ＯｐＳ５０から入力された指令に従って、帯域制御を実行する。なお、Ｌ２装置４０は、一般的なＬ２スイッチと同様のため、詳細な説明を省略する。
【００３５】
Ｌ２装置ＯｐＳ５０は、Ｌ２装置４０の保守、管理を行うものである。例えば、Ｌ２装置ＯｐＳ５０は、図示を省略したＯｐＳ端末が接続され、このＯｐＳ端末から、Ｌ２装置ＯｐＳ５０に帯域制御の実行命令が入力される。すると、Ｌ２装置ＯｐＳ５０は、入力された実行命令に従って、Ｌ２装置４０に帯域制御の実行を指令する。
【００３６】
Ｌ３装置６０ａ，６０ｂは、例えば、帯域制御機能を有さないルータである。また、Ｌ３装置６０ａ，６０ｂは、Ｌ３装置３０と同一のものであってもよい。ここで、Ｌ３装置６０ａは、ＶＬＡＮ８０ａのＩＦ（不図示）を有する。また、Ｌ３装置６０ｂは、ＶＬＡＮ８０ｂのＩＦ（不図示）を有する。
【００３７】
通信回線７０は、例えば、ＩＰ（Internet Protocol）を利用した物理的なネットワーク回線である。ＶＬＡＮ８０ａ，８０ｂは、通信回線７０を利用して構築された仮想的なネットワークである。
【００３８】
[Ｌ３装置ＯｐＳの構成]
図２を参照し、Ｌ３装置ＯｐＳ１０の構成について説明する（適宜図１参照）。図２のように、Ｌ３装置ＯｐＳ１０は、通信ポート１００と、データ登録手段１１０と、設備情報ＤＢ１２０と、トラヒック収集スケジュールＤＢ１３０と、トラヒック収集手段１４０と、トラヒック収集ＤＢ１５０と、トラヒック集計手段１６０と、トラヒック集計ＤＢ１７０とを備える。
【００３９】
通信ポート１００は、ＯｐＳ端末２０及びＬ３装置３０と通信するためのものである。具体的には、通信ポート１００は、ＯｐＳ端末２０から登録データが入力されると、入力された登録データをデータ登録手段１１０に出力する。
【００４０】
通信ポート１００は、トラヒック収集手段１４０からトラヒック総量情報要求が入力されると、入力されたトラヒック総量情報要求をＬ３装置３０に出力する。そして、通信ポート１００は、このトラヒック総量情報要求に応じて、Ｌ３装置３０からトラヒック総量情報Ｔが入力されると、入力されたトラヒック総量情報Ｔをトラヒック収集手段１４０に出力する。
【００４１】
データ登録手段１１０は、通信ポート１００から入力された登録データを登録するものである。具体的には、データ登録手段１１０は、登録データに含まれる設備情報を設備情報ＤＢ１２０に登録する。また、データ登録手段１１０は、登録データに含まれるトラヒック収集スケジュールをトラヒック収集スケジュールＤＢ１３０に登録する。さらに、データ登録手段１１０は、登録データに含まれるファイル所在情報を、トラヒック収集手段１４０に出力する。
【００４２】
設備情報ＤＢ１２０は、データ登録手段１１０が登録した設備情報を記憶するデータベースである。この設備情報は、トラヒック総量情報Ｔを収集、集計する対象となるＬ３装置３０の識別情報を表す。従って、設備情報は、トラヒック収集手段１４０及びトラヒック集計手段１６０によって参照される。
【００４３】
トラヒック収集スケジュールＤＢ１３０は、データ登録手段１１０が登録したトラヒック収集スケジュールを記憶するデータベースである。このトラヒック収集スケジュールは、トラヒック総量情報Ｔを収集するスケジュールを表す。従って、トラヒック収集スケジュールは、トラヒック収集手段１４０によって参照される。
【００４４】
トラヒック収集手段１４０は、トラヒック総量情報Ｔ及び帯域幅情報Ｂを収集するものである。図２のように、トラヒック収集手段１４０は、トラヒック総量収集手段（トラヒック総量入力手段）１４２と、帯域幅収集手段（帯域幅入力手段）１４４とを備える。
【００４５】
トラヒック総量収集手段１４２は、Ｌ３装置３０から、ＶＬＡＮ８０ａ，８０ｂのＩＦ毎にトラヒック総量情報Ｔを収集（入力）するものである。具体的には、トラヒック総量収集手段１４２は、トラヒック収集スケジュールを参照し、トラヒック総量情報Ｔの収集時刻を確定する。また、トラヒック総量収集手段１４２は、設備情報を参照し、収集対象のＬ３装置３０をリストアップする。そして、トラヒック総量収集手段１４２は、トラヒック総量情報Ｔの収集時刻において、通信ポート１００を介して、リストアップされたＬ３装置３０にトラヒック総量情報要求を出力する。
【００４６】
前記したトラヒック総量情報要求に応じて、トラヒック総量収集手段１４２は、通信ポート１００を介して、リストアップされたＬ３装置３０から、ＶＬＡＮ８０ａ，８０ｂのＩＦ毎にトラヒック総量情報Ｔが入力される。すると、トラヒック総量収集手段１４２は、入力されたトラヒック総量情報Ｔを、収集時刻及び収集対象となるＬ３装置３０の識別情報に対応付けて、トラヒック収集ＤＢ１５０に登録する。
【００４７】
帯域幅収集手段１４４は、ＶＬＡＮ−ＩＦ設計情報Ｄに記述された帯域幅情報Ｂを、ＶＬＡＮ８０ａ，８０ｂのＩＦ毎に収集（入力）するものである。具体的には、帯域幅収集手段１４４は、設備情報を参照し、収集対象のＬ３装置３０をリストアップする。また、帯域幅収集手段１４４は、ファイル所在情報が示すファイルを開く。そして、帯域幅収集手段１４４は、リストアップされたＬ３装置３０について、ファイルに格納されたＶＬＡＮ−ＩＦ設計情報Ｄから、ＶＬＡＮ８０ａ，８０ｂのＩＦ毎に帯域幅情報Ｂを取得する。さらに、帯域幅収集手段１４４は、収集対象となるＬ３装置３０の識別情報に対応付けて、取得した帯域幅情報Ｂをトラヒック収集ＤＢ１５０に登録する。
【００４８】
ここで、帯域幅収集手段１４４は、任意のタイミングで帯域幅情報Ｂを収集できる。例えば、帯域幅収集手段１４４は、トラヒック収集スケジュールに従って帯域幅情報Ｂを収集する。また、帯域幅収集手段１４４は、ＶＬＡＮ−ＩＦ設計情報Ｄを格納したファイルのタイムスタンプによりＶＬＡＮ−ＩＦ設計情報Ｄの更新有無を判定し、ＶＬＡＮ−ＩＦ設計情報Ｄが更新された場合のみ、帯域幅情報Ｂを収集してもよい。
【００４９】
トラヒック収集ＤＢ１５０は、トラヒック総量収集手段１４２が登録したトラヒック総量情報Ｔと、帯域幅収集手段１４４が登録した帯域幅情報Ｂとを記憶するデータベースである。ここで、トラヒック総量情報Ｔ及び帯域幅情報Ｂは、Ｌ３装置３０の識別情報で対応付けることができる。また、トラヒック総量情報Ｔ及び帯域幅情報Ｂは、トラヒック集計手段１６０によって参照される。
【００５０】
トラヒック集計手段１６０は、トラヒック収集ＤＢ１５０に登録されたトラヒック総量情報Ｔと帯域幅情報Ｂとに基づいて、集計処理を実行するものである。具体的には、トラヒック集計手段１６０は、設備情報を参照し、集計対象のＬ３装置３０をリストアップする。また、トラヒック集計手段１６０は、トラヒック収集ＤＢ１５０から、集計対象となるＬ３装置３０について、ＶＬＡＮ８０ａ，８０ｂのＩＦ毎のトラヒック総量情報Ｔ及び帯域幅情報Ｂを取得する。そして、トラヒック集計手段１６０は、集計対象のＬ３装置３０について、取得したトラヒック総量情報Ｔ及び帯域幅情報Ｂを元に、ＶＬＡＮ８０ａ，８０ｂのＩＦ毎に回線使用率を算出する。この回線使用率は、トラヒック総量情報Ｔが示すトラヒック総量測定値を、帯域幅情報Ｂが示す帯域幅設定値で除算することで求められる。そして、トラヒック集計手段１６０は、算出した回線使用率を、集計対象となるＬ３装置３０の識別情報に対応付けて、トラヒック集計ＤＢ１７０に登録する。
【００５１】
トラヒック集計ＤＢ１７０は、トラヒック集計手段１６０が登録した回線使用率を記憶するデータベースである。この回線使用率は、例えば、プロビジョニングを実施する際に参照される。
【００５２】
[Ｌ３装置ＯｐＳの動作]
図３を参照し、Ｌ３装置ＯｐＳ１０の動作について説明する（適宜図２参照）。図３のように、データ登録手段１１０は、登録データの設備情報を設備情報ＤＢ１２０に登録し、登録データのトラヒック収集スケジュールをトラヒック収集スケジュールＤＢ１３０に登録する（ステップＳ１）。
【００５３】
トラヒック総量収集手段１４２は、通信ポート１００を介して、収集対象のＬ３装置３０にトラヒック総量情報要求を出力する。このトラヒック総量情報要求に応じて、トラヒック総量収集手段１４２は、収集対象のＬ３装置３０からトラヒック総量情報Ｔが入力される。すると、トラヒック総量収集手段１４２は、入力されたトラヒック総量情報Ｔをトラヒック収集ＤＢ１５０に登録する（ステップＳ２：トラヒック総量情報の収集）。
【００５４】
帯域幅収集手段１４４は、ＶＬＡＮ−ＩＦ設計情報Ｄから、収集対象のＬ３装置３０の帯域幅情報Ｂを取得する。さらに、帯域幅収集手段１４４は、取得した帯域幅情報Ｂをトラヒック収集ＤＢ１５０に登録する（ステップＳ３：帯域幅情報の収集）。
【００５５】
トラヒック集計手段１６０は、トラヒック収集ＤＢ１５０に登録されたトラヒック総量情報Ｔの値を帯域幅情報Ｂの値で除算することで、回線使用率を算出する（ステップＳ４）。
【００５６】
[作用・効果]
Ｌ３装置ＯｐＳ１０は、帯域制御機能を有さないＬ３装置３０を用いたネットワークにおいても、ＶＬＡＮ−ＩＦ設計情報Ｄに記述された帯域幅情報Ｂを収集することができる。これによって、Ｌ３装置ＯｐＳ１０は、回線使用率が算出可能となり、プロビジョニングを実施することができる。さらに、Ｌ３装置ＯｐＳ１０は、帯域幅情報Ｂ以外の別の情報を収集したい場合、ファイルに格納された帯域幅情報Ｂを収集する仕組み（ＩＦ）を転用できるため、将来の拡張性に優れる。
【００５７】
（第２実施形態）
[トラヒック集計システムの全体構成]
図４を参照し、本願発明の第２実施形態に係るトラヒック集計システム１Ｂの全体構成について、第１実施形態と異なる点を説明する（適宜図１参照）。
【００５８】
トラヒック集計システム１Ｂは、可変ｃｏｎｆｉｇ部（可変設定手段）３２に設定された帯域幅情報Ｂを収集する点が、第１実施形態と異なる（符号β）。図４のように、トラヒック集計システム１Ｂは、Ｌ３装置ＯｐＳ（トラヒック集計装置）１０Ｂと、ＯｐＳ端末２０と、Ｌ３装置（第１ネットワーク装置）３０Ｂと、Ｌ２装置４０と、Ｌ２装置ＯｐＳ５０と、Ｌ３装置６０ａ，６０ｂとを備える。
【００５９】
Ｌ３装置ＯｐＳ１０Ｂは、Ｌ３装置３０Ｂの可変ｃｏｎｆｉｇ部３２に設定された帯域幅情報Ｂを収集するものである。具体的には、Ｌ３装置ＯｐＳ１０Ｂは、Ｌ３装置３０Ｂに帯域幅情報Ｂを要求する（帯域幅情報要求）。すると、この帯域幅情報要求に応じて、帯域幅情報Ｂが、Ｌ３装置３０ＢからＬ３装置ＯｐＳ１０Ｂに入力される。Ｌ３装置ＯｐＳ１０Ｂのその他の点は、図１のＬ３装置ＯｐＳ１０と同様である。
【００６０】
Ｌ３装置３０Ｂは、可変ｃｏｎｆｉｇ部３２を備える。可変ｃｏｎｆｉｇ部３２は、Ｌ３装置３０Ｂの各種情報を設定するものであり、ＶＬＡＮ８０ａ，８０ｂのＩＦ毎に帯域幅情報Ｂも設定できる。例えば、可変ｃｏｎｆｉｇ部３２は、ＶＬＡＮ８０ａ，８０ｂのＩＦ毎のｄｅｓｃｒｉｐｔｉｏｎ情報に、帯域幅情報Ｂを設定する。そして、Ｌ３装置３０Ｂは、Ｌ３装置ＯｐＳ１０Ｂから帯域幅情報要求が入力される。この帯域幅情報要求に応じて、Ｌ３装置３０Ｂは、可変ｃｏｎｆｉｇ部３２に設定された帯域幅情報ＢをＬ３装置ＯｐＳ１０Ｂに出力する。Ｌ３装置３０Ｂのその他の点は、図１のＬ３装置３０と同様のため、詳細な説明を省略する。
【００６１】
なお、ＯｐＳ端末２０、Ｌ２装置４０、Ｌ２装置ＯｐＳ５０、Ｌ３装置６０ａ，６０ｂ、通信回線７０、ＶＬＡＮ８０ａ，８０ｂは、第１実施形態と同様のため、詳細な説明を省略する。
【００６２】
[Ｌ３装置ＯｐＳの構成]
図５を参照し、Ｌ３装置ＯｐＳ１０Ｂの構成について説明する（適宜図４参照）。図５のように、Ｌ３装置ＯｐＳ１０Ｂは、通信ポート１００Ｂと、データ登録手段１１０と、設備情報ＤＢ１２０と、トラヒック収集スケジュールＤＢ１３０と、トラヒック収集手段１４０Ｂと、トラヒック収集ＤＢ１５０と、トラヒック集計手段１６０と、トラヒック集計ＤＢ１７０とを備える。
【００６３】
通信ポート１００Ｂは、ＯｐＳ端末２０及びＬ３装置３０Ｂと通信するための通信ポートである。具体的には、通信ポート１００Ｂは、トラヒック収集手段１４０Ｂから帯域幅情報要求が入力されると、入力された帯域幅情報要求をＬ３装置３０Ｂに出力する。また、通信ポート１００Ｂは、この帯域幅情報要求に応じて、Ｌ３装置３０Ｂから帯域幅情報Ｂが入力されると、入力された帯域幅情報Ｂをトラヒック収集手段１４０Ｂに出力する。通信ポート１００Ｂのその他の点は、図２の通信ポート１００と同様のため、詳細な説明を省略する。
【００６４】
トラヒック収集手段１４０Ｂは、トラヒック総量情報Ｔ及び帯域幅情報Ｂを収集するものである。図５のように、トラヒック収集手段１４０Ｂは、トラヒック総量収集手段１４２と、帯域幅収集手段（帯域幅入力手段）１４４Ｂとを備える。
【００６５】
帯域幅収集手段１４４Ｂは、Ｌ３装置３０Ｂの可変ｃｏｎｆｉｇ部３２に設定された帯域幅情報ＢをＶＬＡＮ８０ａ，８０ｂのＩＦ毎に収集するものである。具体的には、帯域幅収集手段１４４Ｂは、設備情報を参照し、収集対象のＬ３装置３０Ｂをリストアップする。そして、帯域幅収集手段１４４Ｂは、通信ポート１００Ｂを介して、リストアップされたＬ３装置３０Ｂに帯域幅情報要求を出力する。この帯域幅情報要求に応じて、帯域幅収集手段１４４Ｂは、通信ポート１００Ｂを介して、リストアップされたＬ３装置３０Ｂから、ＶＬＡＮ８０ａ，８０ｂのＩＦ毎に帯域幅情報Ｂが入力される。すると、帯域幅収集手段１４４Ｂは、収集対象となるＬ３装置３０Ｂの識別情報に対応付けて、入力された帯域幅情報Ｂを、トラヒック収集ＤＢ１５０に登録する。
【００６６】
ここで、帯域幅収集手段１４４Ｂは、任意のタイミングで帯域幅情報要求を出力できる。例えば、帯域幅収集手段１４４Ｂは、トラヒック収集スケジュールに従って帯域幅情報要求を出力する。また、帯域幅収集手段１４４Ｂは、可変ｃｏｎｆｉｇ部３２から帯域幅情報Ｂの設定変更が通知された場合（設定変更通知）、この設定変更通知に応じて、帯域幅情報要求を出力してもよい。
【００６７】
なお、データ登録手段１１０、設備情報ＤＢ１２０、トラヒック収集スケジュールＤＢ１３０、トラヒック総量収集手段１４２、トラヒック収集ＤＢ１５０、トラヒック集計手段１６０、トラヒック集計ＤＢ１７０は、図２の各手段と同様のため、詳細な説明を省略する。
また、Ｌ３装置ＯｐＳ１０Ｂは、帯域幅情報Ｂの収集手法が異なる以外、図２のＬ３装置ＯｐＳ１０と同様に動作するため、動作の説明を省略する。
【００６８】
[作用・効果]
Ｌ３装置ＯｐＳ１０Ｂは、第１実施形態と同様、回線使用率が算出可能となり、プロビジョニングを実施することができる。さらに、Ｌ３装置ＯｐＳ１０Ｂは、可変ｃｏｎｆｉｇ部３２に設定された情報を収集する機能が実装されている。従って、Ｌ３装置ＯｐＳ１０Ｂは、この実装済み機能を利用して帯域幅情報Ｂを収集できるので、装置改修のコストが抑えられ、導入の容易性に優れる。
【００６９】
（第３実施形態）
[トラヒック集計システムの全体構成]
図６を参照し、本願発明の第３実施形態に係るトラヒック集計システム１Ｃの全体構成について、第１実施形態と異なる点を説明する（適宜図１参照）。
【００７０】
トラヒック集計システム１Ｃは、Ｌ２装置ＯｐＳ（第２ネットワーク管理装置）５０Ｃに設定された帯域幅情報Ｂを収集する点が、第１実施形態と異なる（符号γ）。図６のように、トラヒック集計システム１Ｃは、Ｌ３装置ＯｐＳ（トラヒック集計装置）１０Ｃと、ＯｐＳ端末２０Ｃと、Ｌ３装置３０と、Ｌ２装置４０と、Ｌ２装置ＯｐＳ５０Ｃと、Ｌ３装置６０ａ，６０ｂとを備える。
【００７１】
Ｌ３装置ＯｐＳ１０Ｃは、Ｌ２装置ＯｐＳ５０Ｃに設定された帯域幅情報Ｂを収集するものである。具体的には、Ｌ３装置ＯｐＳ１０Ｃは、Ｌ２装置ＯｐＳ５０Ｃに帯域幅情報Ｂを要求する（帯域幅情報要求）。すると、この帯域幅情報要求に応じて、帯域幅情報Ｂが、Ｌ２装置ＯｐＳ５０ＣからＬ３装置ＯｐＳ１０Ｃに入力される。Ｌ３装置ＯｐＳ１０Ｃのその他の点は、図１のＬ３装置ＯｐＳ１０と同様である。
【００７２】
なお、Ｌ３装置ＯｐＳ１０ＣとＬ２装置ＯｐＳ５０Ｃとの間では、帯域幅情報要求及び帯域幅情報Ｂを任意の手法で入出力できる。例えば、Ｌ３装置ＯｐＳ１０ＣとＬ２装置ＯｐＳ５０Ｃとの間では、Ｌ３装置３０及びＬ２装置４０を介して、帯域幅情報要求及び帯域幅情報Ｂを入出力できる。また、Ｌ３装置ＯｐＳ１０ＣとＬ２装置ＯｐＳ５０Ｃとの間では、電子メール又はＦＴＰ（File Transfer Protocol）を利用して、帯域幅情報要求及び帯域幅情報Ｂを入出力してもよい。
【００７３】
ＯｐＳ端末２０Ｃは、トラヒック収集スケジュール及びファイル所在情報に加えて、登録データとして、帯域幅収集先情報が入力される。また、ＯｐＳ端末２０Ｃは、入力された帯域幅収集先情報をＬ３装置ＯｐＳ１０Ｃに出力する。ここで、帯域幅収集先情報は、帯域幅情報Ｂの収集手法となるＬ２装置ＯｐＳ５０Ｃの識別情報（例えば、ＩＰアドレス）を表す。ＯｐＳ端末２０Ｃのその他の点は、図１のＯｐＳ端末２０と同様のため、詳細な説明を省略する。
【００７４】
Ｌ２装置ＯｐＳ５０Ｃは、ＶＬＡＮ８０ａ，８０ｂのＩＦ毎に帯域幅情報Ｂが設定されたものである。つまり、Ｌ２装置ＯｐＳ５０Ｃは、Ｌ２装置４０での帯域制御に利用される帯域幅情報Ｂが設定されている。そして、Ｌ２装置ＯｐＳ５０Ｃは、Ｌ３装置ＯｐＳ１０Ｃから帯域幅情報要求が入力されると、この帯域幅情報要求に応じて、設定された帯域幅情報Ｂを出力する。この帯域幅情報Ｂは、Ｌ３装置３０及びＬ２装置４０を介して、Ｌ３装置ＯｐＳ１０Ｃに出力される。Ｌ２装置ＯｐＳ５０Ｃのその他の点は、図１のＬ２装置ＯｐＳ５０と同様のため、詳細な説明を省略する。
【００７５】
なお、Ｌ３装置３０、Ｌ２装置４０、Ｌ３装置６０ａ，６０ｂ、通信回線７０、ＶＬＡＮ８０ａ，８０ｂは、第１実施形態と同様のため、詳細な説明を省略する。
【００７６】
[Ｌ３装置ＯｐＳの構成]
図７を参照し、Ｌ３装置ＯｐＳ１０Ｃの構成について説明する（適宜図６参照）。図７では、Ｌ３装置ＯｐＳ１０ＣとＬ２装置ＯｐＳ５０Ｃとが直接接続されていないため、通信ポート１００ＣとＬ２装置ＯｐＳ５０Ｃとの入出力を破線で図示した。
【００７７】
図７のように、Ｌ３装置ＯｐＳ１０Ｃは、通信ポート１００Ｃと、データ登録手段１１０Ｃと、設備情報ＤＢ１２０と、トラヒック収集スケジュールＤＢ１３０と、トラヒック収集手段１４０Ｃと、トラヒック収集ＤＢ１５０と、トラヒック集計手段１６０と、トラヒック集計ＤＢ１７０とを備える。
【００７８】
通信ポート１００Ｃは、ＯｐＳ端末２０Ｃ、Ｌ３装置３０及びＬ２装置ＯｐＳ５０Ｃと通信するための通信ポートである。具体的には、通信ポート１００Ｃは、登録データとして、ＯｐＳ端末２０Ｃから帯域幅収集先情報が入力されると、入力された帯域幅収集先情報を、データ登録手段１１０Ｃに出力する。
【００７９】
また、通信ポート１００Ｃは、トラヒック収集手段１４０Ｃから帯域幅情報要求が入力されると、入力された帯域幅情報要求をＬ２装置ＯｐＳ５０Ｃに出力する。また、通信ポート１００Ｃは、この帯域幅情報要求に応じて、Ｌ２装置ＯｐＳ５０Ｃから帯域幅情報Ｂが入力されると、入力された帯域幅情報Ｂをトラヒック収集手段１４０Ｃに出力する。通信ポート１００Ｃのその他の点は、図２の通信ポート１００と同様のため、詳細な説明を省略する。
【００８０】
データ登録手段１１０Ｃは、通信ポート１００Ｃから、登録データとして帯域幅収集先情報が入力されるものである。そして、データ登録手段１１０Ｃは、入力された帯域幅収集先情報を、トラヒック収集手段１４０Ｃに出力する。データ登録手段１１０Ｃのその他の点は、図２のデータ登録手段１１０と同様のため、詳細な説明を省略する。
【００８１】
トラヒック収集手段１４０Ｃは、トラヒック総量情報Ｔ及び帯域幅情報Ｂを収集するものである。図７のように、トラヒック収集手段１４０Ｃは、トラヒック総量収集手段１４２と、帯域幅収集手段（帯域幅入力手段）１４４Ｃとを備える。
【００８２】
帯域幅収集手段１４４Ｃは、Ｌ２装置ＯｐＳ５０Ｃに設定された帯域幅情報ＢをＶＬＡＮ８０ａ，８０ｂのＩＦ毎に収集するものである。具体的には、帯域幅収集手段１４４Ｃは、帯域幅収集先情報が示すＬ２装置ＯｐＳ５０Ｃを、収集対象のＬ２装置ＯｐＳ５０Ｃとしてリストアップする。そして、帯域幅収集手段１４４Ｃは、通信ポート１００Ｃを介して、収集対象のＬ２装置ＯｐＳ５０Ｃに帯域幅情報要求を出力する。この帯域幅情報要求に応じて、帯域幅収集手段１４４Ｃは、通信ポート１００Ｃを介して、Ｌ２装置ＯｐＳ５０Ｃから、ＶＬＡＮ８０ａ，８０ｂのＩＦ毎に帯域幅情報Ｂが入力される。すると、帯域幅収集手段１４４Ｃは、入力された帯域幅情報Ｂをトラヒック収集ＤＢ１５０に登録する。
【００８３】
なお、設備情報ＤＢ１２０、トラヒック収集スケジュールＤＢ１３０、トラヒック総量収集手段１４２、トラヒック収集ＤＢ１５０、トラヒック集計手段１６０、トラヒック集計ＤＢ１７０は、図２の各手段と同様のため、詳細な説明を省略する。
また、Ｌ３装置ＯｐＳ１０Ｃは、帯域幅情報Ｂの収集手法が異なる以外、図２のＬ３装置ＯｐＳ１０と同様に動作するため、動作の説明を省略する。
【００８４】
[作用・効果]
Ｌ３装置ＯｐＳ１０Ｃは、第１実施形態と同様、回線使用率が算出可能となり、プロビジョニングを実施することができる。さらに、Ｌ３装置ＯｐＳ１０Ｃは、Ｌ２装置ＯｐＳ５０Ｃが実際の帯域制御機能に利用している帯域幅情報Ｂを収集できるので、集計処理の正確性に優れる。
【００８５】
（変形例）
本願発明に係るトラヒック集計装置は、前記した各実施形態に限定されず、その趣旨を逸脱しない範囲で変形を加えることができる。
【００８６】
例えば、本願発明に係るトラヒック集計装置は、レイヤ３以外を扱うネットワーク装置を保守、管理してもよい。すなわち、本願発明に係るトラヒック集計システムは、第１ネットワーク装置がＬ３装置に限定されず、第２ネットワーク装置がＬ２装置に限定されない。
【００８７】
前記した実施形態では、トラヒック集計装置を独立したハードウェアとして説明したが、本願発明は、これに限定されない。すなわち、本願発明に係るトラヒック集計装置は、コンピュータが備えるＣＰＵ、メモリ、ハードディスク等のハードウェア資源を、トラヒック総量入力手段、帯域幅入力手段及びトラヒック集計手段として協調動作させるトラヒック集計プログラムで実現することもできる。このプログラムは、通信回線を介して配布してもよく、ＣＤ−ＲＯＭやフラッシュメモリ等の記録媒体に書き込んで配布してもよい。
【符号の説明】
【００８８】
１，１Ｂ，１Ｃ  トラヒック集計システム
１０，１０Ｂ，１０Ｃ  Ｌ３装置ＯｐＳ（トラヒック集計装置）
２０，２０Ｃ  ＯｐＳ端末
３０，３０Ｂ  Ｌ３装置（第１ネットワーク装置）
３２  可変ｃｏｎｆｉｇ部（可変設定手段）
４０  Ｌ２装置（第２ネットワーク装置）
５０，５０Ｃ  Ｌ２装置ＯｐＳ（第２ネットワーク管理装置）
６０ａ，６０ｂ  Ｌ３装置
７０  通信回線
８０ａ，８０ｂ  ＶＬＡＮ
１００，１００Ｂ，１００Ｃ  通信ポート
１１０，１１０Ｃ  データ登録手段
１２０  設備情報ＤＢ
１３０  トラヒック収集スケジュールＤＢ
１４０，１４０Ｂ，１４０Ｃ  トラヒック収集手段
１４２  トラヒック総量収集手段（トラヒック総量入力手段）
１４４，１４４Ｂ，１４４Ｃ  帯域幅収集手段（帯域幅入力手段）
１５０  トラヒック収集ＤＢ
１６０  トラヒック集計手段
１７０  トラヒック集計ＤＢ
【図１】
2015154383.tif 000003
【図２】
2015154383.tif 000004
【図３】
2015154383.tif 000005
【図４】
2015154383.tif 000006
【図５】
2015154383.tif 000007
【図６】
2015154383.tif 000008
【図７】
2015154383.tif 000009